(57)【要約】【課題】迅速かつ簡易な操作で測定対象地点に設置することができる携行しやすい簡易型の表示装置を提供する。【解決手段】反射部と、前記反射部の相対する側辺のうち一側辺に連設する設置部と、前記設置部の前記反射部側の側辺とは反対側の側辺に連設する起立部と、前記反射部の前記一側辺に相対する他側辺に連設する差込部とからなる表示装置において、前記起立部に形成された切込部に前記差込部の先端を差し込むことで組み立てられ、前記反射部の一方面に形成された基準線により、レーザ装置からの視準線に対する表示装置の垂直位置を確認し、前記差込部及び前記設置部に形成された角度目盛により、折り曲げ時に前記反射部と前記設置部のなす角度を特定するとともに、測定対象地点を特定する。【選択図】図１
2012068185.tif 000002
【特許請求の範囲】
【請求項１】
地面に存在する測定地点を遠隔地点から確認するための表示装置であって、
レーザ光を反射する反射部と、前記反射部の相対する側辺のうち一側辺に連設する設置部と、前記設置部の前記反射部側の側辺とは反対側の側辺に連設する起立部と、前記反射部の前記一側辺に相対する他側辺に連設する差込部とからなり、
前記反射部、前記設置部、前記起立部、及び前記差込部は、平板状をなすとともに、それらを連設する部位は折り曲げ可能に形成され、
前記起立部には、前記差込部の先端を差し込むための切込部が形成され、
前記反射部における前記側辺の延びる方向の側部には、折り曲げ可能な折曲部が形成され、
前記反射部の一方面には、前記側辺に平行な直線としての基準線が前記折曲部に亘って形成され、
前記差込部及び前記設置部には、折り曲げ時に前記反射部と前記設置部のなす角度を特定するための角度目盛が形成されている表示装置。
【請求項２】
前記反射部の前記設置部側端部から前記設置部に亘って窓が形成されている請求項１に記載の表示装置。
【請求項３】
前記反射部には、長さを計測可能な目盛が形成されている請求項１又は２に記載の表示装置。
【発明の詳細な説明】
【技術分野】
【０００１】
本発明は、レーザ測量システムにおける測定対象地点を表示する表示装置に関するものである。
【背景技術】
【０００２】
レーザ測量システムを用いて水準点と測量点との距離を測定する場合、レーザ測量システムから照射されたレーザ光と、測量点に設置された測定対象地点を表示する表示装置にて反射されたレーザ光との位相差によって距離を算出している（例えば、特許文献１参照）。通常、レーザ測量システムは、図５（ａ）に示すように、測定装置としてのレーザ装置４０１と、測定対象地点Ｐ１上に設置して測定対象地点Ｐ１を特定する表示装置１０１とを具備している。そして、前記表示装置１０１は、作業者により手持ち可能なロッド２０１と、該ロッド２０１に設けられたレーザを反射する反射鏡３０１で構成されている。前記ロッド２０１の下端部は尖端となって地面に突き刺し可能な形状となっており、測定対象地点Ｐ１に突き刺すことで作業者が手持ち支持することなく測定対象地点Ｐ１に設置することも可能である。
【先行技術文献】
【特許文献】
【０００３】
【特許文献１】特開２００９−１０９２１０号公報
【発明の概要】
【発明が解決しようとする課題】
【０００４】
従来の表示装置１０１によれば、ロッド２０１を地面に対して鉛直に保持し、レーザ装置４０１から照射されたレーザ光を反射鏡３０１で反射させることで、レーザ装置４０１と表示装置１０１間の正確な距離を測量することができる。また、実際の測量現場では、図５（ｂ）に示すように、まず、複数の測定対象地点Ｐ１、Ｐ２、Ｐ３、Ｐ４にそれぞれ表示装置１０１、１０２、１０３、１０４を設置し、レーザ装置４０１と表示装置１０１、１０２、１０３、１０４間のそれぞれの距離Ｌ１、Ｌ２、Ｌ３、Ｌ４を測量する。次いで、隣り合う表示装置１０１、１０２とレーザ装置４０１とのなす角度αから、測定対象地点Ｐ１、Ｐ２間の距離を正確に測量するとともに、同様にして測定対象地点Ｐ２、Ｐ３、Ｐ４のそれぞれの間の距離を正確に測量することができる。
【０００５】
しかし、従来のレーザ測量システムでは、表示装置１０１自体が重量を伴い、嵩張るためにその運搬が不便であるという問題があった。特に、測定対象地点Ｐ１、Ｐ２、Ｐ３、……が多く存在する場合には、複数の表示装置１０１、１０２、１０３、……が必要となるため、これら表示装置を必要台数携行するのは煩わしいことが多い。特に測量作業が当初から予定されている場合ばかりでなく、測量する予定のない現場において急遽測量を必要とする場合が生じることがある。或いは、正確な測量データではなく、とりあえず概略の測量を行いたいという場合が生じることもある。そのような場合に備えて常に複数の表示装置１０１、１０２、１０３、……を携行していることは不便であるが、表示装置１０１、１０２、１０３、……を携行していないばかりに、急遽必要となった現場での測量作業ができず、迅速な対応ができない場合が生じることも問題である。
【０００６】
また、たとえ表示装置１０１、１０２、１０３、……を携行していたとしても、土砂崩れの現場等、測量作業に迅速性が要求される場合などに、従来の表示装置１０１では、その設置作業に相応の時間を要してしまい、迅速な測量作業を妨げるという問題もあった。
【０００７】
この発明は、これら問題点を解決するためになされたものであって、その目的は、迅速かつ簡易な操作で測定対象地点に設置することができる携行しやすい簡易型の表示装置を提供することにある。
【課題を解決するための手段】
【０００８】
上記問題点を解決するために、請求項１に記載の発明は、地面に存在する測定地点を遠隔地点から確認するための表示装置であって、レーザ光を反射する反射部と、前記反射部の相対する側辺のうち一側辺に連設する設置部と、前記設置部の前記反射部側の側辺とは反対側の側辺に連設する起立部と、前記反射部の前記一側辺に相対する他側辺に連設する差込部とからなり、前記反射部、前記設置部、前記起立部、及び前記差込部は、平板状をなすとともに、それらを連設する部位は折り曲げ可能に形成され、前記起立部には、前記差込部の先端を差し込むための切込部が形成され、前記反射部における前記側辺の延びる方向の側部には、折り曲げ可能な折曲部が形成され、前記反射部の一方面には、前記側辺に平行な直線としての基準線が前記折曲部に亘って形成され、前記差込部及び前記設置部には、折り曲げ時に前記反射部と前記設置部のなす角度を特定するための角度目盛が形成されていることを要旨とする。
【０００９】
請求項１に記載の発明によれば、前記反射部、前記設置部、前記起立部、及び前記差込部を、それらを連接する部位で折り曲げるとともに前記差込部の先端を前記起立部の形成された差込部に差し込むことで、前記反射部、前記設置部、前記起立部及び差込部の３平面から形成される側面三角形状の表示装置を組み立てることができる。そして、組み立てられた表示装置の前記反射部をレーザ装置側に向けて前記設置部を測定対象地点に接地するとともに、前記反射部から前記折曲部に亘って形成された前記基準線が一直線状に視認できるように前記差込部を切込部に対して挿入することで、レーザ装置からの視準線に対して前記反射部が垂直となるように表示装置を設置することができる。これにより、簡単かつ容易に表示装置を視準線に対して垂直となるように設置することが可能であり、レーザ装置から測定対象地点までの距離を迅速に測量することができる。表示装置を折り曲げ形成することで迅速かつ簡易な操作で距離の測量が可能な簡易型の表示装置を提供することができる。
【００１０】
請求項２に記載の発明は、請求項１において、前記反射部の前記設置部側端部から前記設置部に亘って窓が形成されていることを要旨とする。このように構成すると、表示装置を測定対象地点に設置する際、窓を介して測定対象地点を容易に認識することができるため、表示装置を測定対象地点に迅速に配置することができる。
【００１１】
請求項３に記載の発明は、請求項１又は２において、前記反射部には、長さを測定可能な目盛が形成されていることを要旨とする。このように構成すると、表示装置を定規として使用することができ、表示装置の利便性が向上する。
【発明の効果】
【００１２】
本発明によれば、迅速かつ簡易な操作で測定対象地点に設置することができる携行しやすい簡易型の表示装置を提供することができる。
【図面の簡単な説明】
【００１３】
【図１】本実施形態の表示装置の組み立てられる前の状態の展開図。（ａ）は、正面図。（ｂ）は、背面図。
【図２】本実施形態の表示装置の組み立て状態の図。（ａ）は、正面斜視図。（ｂ）は、側面斜視図。（ｃ）は、背面斜視図。
【図３】本実施形態の表示装置の組み立て状態の図。（ａ）は、正面図。（ｂ）は側面図。（ｃ）は、背面図。（ｄ）は、設置部のみの正面図。
【図４】本実施形態の表示装置を使用する測量概略図。
【図５】（ａ）は、従来の表示装置を用いた測量概略図。（ｂ）は、複数の測定対象地点を測定する場合の概略図。
【発明を実施するための形態】
【００１４】
以下、本願発明を具体化した実施形態を図１〜図４に基づいて説明する。
図１（ａ）は、組み立てられる前の展開状態にある表示装置を図示したものであって、（ａ）は正面図であり、（ｂ）は背面図である。図１（ａ）において、紙面右方向を表示装置の右側、紙面左方向を表示装置の左側、紙面上方向を展開状態の表示装置の上側、紙面下方向を展開状態の表示装置の下側とする。
【００１５】
図１に示すように、白色等淡色の紙製の表示装置１は、レーザ光を反射する反射部２と、前記反射部２の相対する側辺のうち下側の一側辺に連設する設置部３と、前記設置部３の前記反射部２側の側辺とは反対側に位置する下側の側辺に連設する起立部４と、前記反射部２の前記一側辺に相対する側辺のうち上側の他側辺に連設する差込部５とからなる長尺物として構成されている。反射部２と設置部３との境界には、折り曲げ可能な折曲線Ａが形成されるとともに、設置部３と起立部４との境界には、折り曲げ可能な折曲線Ｂが形成されている。同様に、反射部２と差込部５との間には、折り曲げ可能な折曲線Ｃが形成されている。
【００１６】
レーザ装置からのレーザ光を反射するための機能を備える反射部２は、名刺大の大きさの長方形状に形成されている。反射部２の上下方向の中央部分には、上下に位置する一対の側辺と平行な一本の基準線２１が表示されているとともに、前記基準線２１と直交する直交線２２が反射部２の左右方向の中央部分に表示されている。
【００１７】
反射部２には、反射部２を左右方向に３対１に分割し、かつ前記直交線２２に平行な位置に、折り曲げ可能な折曲線Ｄが形成されている。ここで、反射部２の折曲線Ｄの右側部分を折曲部６、折曲線Ｄの左側部分を反射部本体７とする。そして、前記基準線２１は、反射部本体７から折曲部６に亘って形成されている。前記折曲線Ｄで折り曲げ形成される折曲部６は、後述する差込部５とは連設されてなく、図１（ａ）に示すように折曲部６の上方は開放されている。
【００１８】
また、反射部本体７の左側辺及び折曲部６の右側辺には、長さを計測可能な目盛が形成されている。反射部本体７に形成された反射部本体目盛７１は、反射部２の下方から上方に向けて数値が増すように形成されているとともに、折曲部６に形成された折曲部目盛６１は、折曲部６に形成された基準線２１を基点のゼロとして上下方向に数値が増加するように形成されている。さらに、設置部３と反射部２の間の折曲線Ａは、設置部３と折曲部６との間において切り込みされて、切込線６２として形成されている。
【００１９】
設置部３は、左右方向の幅が反射部２の左右方向の幅と同一となるようにほぼ正方形状に形成されている。設置部３の左右方向中央部には、反射部２の下端側から上下方向に延びるように窓３１が開口している。また、設置部３の起立部４寄りの位置には、設置部３の左右方向に延びるように収納用切込部３２が開口している。収納用切込部３２の左右方向の長さは、後に説明する差込部５の左右方向の幅よりやや大きくなるように形成されているとともに、収納用切込部３２の上下方向の長さは、差込部５を挿入可能な大きさに形成されている。本実施例では、上下方向の長さは、０．５ｍｍ〜１ｍｍの大きさに形成されている。
【００２０】
図１（ｂ）に示すように、設置部３の背面側には、窓３１の左右方向に延びるように角度目盛としての設置角度線３３の４本の目盛線が同一間隔で形成されている。設置角度線３３は、反射部２と設置部３との折曲線Ａの位置を１本目の目盛線として、設置部３の下方に向かって３本の目盛線がそれぞれ１本目の目盛線に平行に形成されている。それぞれの目盛線には、前記折曲線Ａの位置を９０゜として、以下、７５゜、６０゜、４５゜の文字が付されている。また、前記窓３１は、設置角度線３３の４本の目盛線の水平方向の中央部分を縦断するようにして開口形成されている。
【００２１】
起立部４は、左右方向の幅が反射部２及び設置部３の左右方向の幅と同一となるようにほぼ正方形状に形成されている。起立部４の下方寄りの位置には、起立部４の左右方向に延びるように差込用切込部４１が開口している。差込用切込部４１の左右方向の長さは、後に説明する差込部５の左右方向の幅よりやや大きくなるように形成されているとともに、上下方向の長さは、差込部５を挿入したときに差込部５が移動することなく差込用切込部４１内に保持される大きさとする。本実施例では、上下方向の長さは、０．５ｍｍ〜１ｍｍの大きさに形成されている。
【００２２】
差込部５は、その左右方向の幅が、反射部２、設置部３、及び起立部４の左右方向の幅のほぼ半分の大きさで長方形状に形成されている。そして、反射部２の左右方向中央部分で左右対称となるようにして、折曲線Ｃを挟んで折り曲げ可能に連設されている。
【００２３】
差込部５の前面には、左右方向に延びるように角度目盛としての差込角度線５１の４本の目盛線が同一間隔で形成されている。差込角度線５１には、反射部２と差込部５との折曲線Ｃ側の位置に、折曲線Ｃと平行に１本目の目盛線が形成されるとともに、差込部５の上方に向かってさらに３本の目盛線がそれぞれ平行に形成されている。これら４本の目盛線には、下方から順に４５゜、６０゜、７５゜、９０゜の文字が付与されている。
【００２４】
次に、本実施形態の表示装置１の組み立て方法について説明する。図１（ａ）の組み立てられる前の状態の展開状態にある表示装置１の正面図において、折曲線Ａ、Ｂ、Ｃで正面側が外側、背面側が内側となるように山折りに折り曲げるとともに、差込部５の先端を起立部４の差込用切込部４１に挿入する。これにより、図２（ｂ）に示すように、反射部２、設置部３、起立部４及び差込部５の３面からなる側面視三角形状の立体としての表示装置１が組み立てられる。次に、折曲部６を折曲線Ｄで谷折りすることにより、折曲部６を表示装置１の前面側に反射部本体７に対して略垂直となるように折り曲げ形成する。
【００２５】
次に、本実施形態の表示装置１を使用する場合について説明する。測量を行なう測量調査地域において、測定対象地点を決定する場合、水平状態を維持する位置を選択して測定対象地点とする。この場合、水準器で測量調査地域の水平位置を選択して測定対象地点とするのが好ましい。測定対象地点が決定されると当該測定対象地点に組み立てられた表示装置１を設置する。表示装置１は反射部２前面がレーザ装置側を向くように設置し、複数の測定対象地点に表示装置１を設置する場合には、すべての表示装置１の反射部２前面がレーザ装置側と相対するようにして設置する。
【００２６】
続いて、表示装置１の折曲部６が反射部本体７に対して略垂直となるように折り曲げ形成されていることを確認し、図３（ａ）に示すように、レーザ装置の位置から見て反射部２に形成された基準線２１が反射部本体７から折曲部６に亘って水平方向一直線となるように差込部５の差込用切込部４１への挿入量を調整する。図３（ａ）に示すように、反射部本体７から折曲部６に亘って形成された基準線２１が一直線状に視認できる位置が、反射部本体７に対して垂直に視認している位置である。つまり、図３（ａ）は、反射部本体７を垂直に視認している状態を示している。レーザ装置から表示装置１の状態がこのように視認できる場合、レーザ装置からの視準線に対して反射部２が垂直に維持されていることになる。
【００２７】
そして、差込角度線５１の目盛線は、この状態での差込部５の差込用切込部４１への差込量、すなわち、差込用切込部４１と差込角度線５１の目盛線とで表示される値が、表示装置１の反射部２と設置部３とのなす角度θを示すように形成されている。したがって、レーザ装置からの視準線に対して反射部２前面が垂直となるように設置された状態での表示装置１の反射部２の傾斜度は、差込角度線５１から容易に読み取ることができる。
【００２８】
この場合、差込角度線５１のいずれかの目盛線と差込用切込部４１とが合致しないときには、差込用切込部４１に最も近い目盛線に一致するように差込部５の差込量を調整したうえで、レーザ装置の高さを微調整することで対応する。これにより、レーザ装置からの視準線と反射部２とが垂直となった状態で表示装置１が設置されて、その状態での表示装置１の反射部２と設置部３とのなす角度θが、差込角度線５１で表示される角度表示に一致することになる。
【００２９】
このように、図３（ｃ）に示すように、切込部４１と差込角度線５１とから読み取られた数値が７５゜であった場合、図３（ｂ）に示すように表示装置１の反射部２と設置部３のなす角度θが７５゜に形成されていることになる。この場合のレーザ装置からの視準線は、反射部２と設置部３との角度が７５゜である状態で測定対象地点に設置された表示装置１の反射部２と垂直を維持した状態となっている。
【００３０】
さらに、図３（ａ）、（ｂ）に示すように、反射部２に形成された基準線２１と直交線２２との交点Ｘからの鉛直下点Ｙの位置には、設置部３の設置角度線３３が形成されている。本実施形態では、差込角度線５１で示された数値と、前記鉛直下点Ｙの位置での設置角度線３３で示される数値とが合致するように形成されている。したがって、差込部５の差込角度線５１で示された数値と同一数値を表示する設置角度線３３の位置が、前記交点Ｘからの鉛直下点Ｙの位置に一致することになる。さきほどの例で説明すれば、切込部４１と差込角度線５１とから読み取られた数値が７５゜であった場合、設置角度線３３の４本の目盛線のうち７５゜を示す目盛線の位置が、反射部２に形成された基準線２１と直交線２２との交点Ｘからの鉛直下点Ｙの位置と合致することになる。
【００３１】
次に、レーザ装置８からのレーザ光を用いて測定対象地点Ｐまでの距離を測定する方法について説明する。図４に示すように、差込角度線５１で示された数値と合致する数値を示す角度目盛３３の目盛線を測定対象地点Ｐとし、レーザ装置８からのレーザ光を表示装置１の基準線２１と直交線２２との交点Ｘに向けて照射する。これにより、レーザ装置８から表示装置１で表示される測定対象地点Ｐまでの距離Ｍが測量される。そして、レーザ装置鉛直下点Ｑから測定対象地点Ｐまでの距離Ｌは、Ｌ＝Ｍ（ｃｏｓθ）で求めることができる。
【００３２】
表示装置１による測量後、表示装置１の収納方法について説明する。折曲部６の折り曲げ状態を戻すとともに、切込部４１から差込部５を抜き取ることにより、差込部５の挿入状態を解除する。折曲線Ａ、Ｂ、Ｃでの折り曲げ状態を維持して起立部４を反射部２及び設置部３の内側に折り込んだ状態で、差込部５の先端を設置部３に形成された収納用切込部３２内へ挿入する。これにより、差込部５と収納用切込部３２とが係合して折り畳まれて、起立部４が内部に収納された状態で、反射部２、差込部５、設置部３及び起立部４が重なり合う平板形状となる。この状態で上着のポケット等に入れても表示装置１自体が軽量である上嵩張ることもなく、携行しやすい。
【００３３】
したがって、本実施形態によれば、以下に示す効果を得ることができる。
（１）反射部２を反射部本体７と折曲部６とで構成するととともに、反射部本体７から折曲部６に亘って、水平方向に基準線２１を形成した。折曲部６を反射部本体７に対して略垂直に折り曲げて、基準線２１を視準したときに、基準線２１が一直線になる位置を確認することで、視準線が反射部２に垂直となる位置を容易に確認することができる。
【００３４】
（２）差込部５に反射部２と設置部３とのなす角度を表示する差込角度線５１を形成するとともに、設置部３には、基準線２１からの鉛直下点Ｙに差込角度線５１と合致するように設置角度線３３を形成した。これにより、表示装置１を、反射部２が視準線に垂直となるように設置した状態で、測定対象地点Ｐを容易に確認することができる。
【００３５】
（３）設置部３の設置角度線３３の中央部には、窓３１を設けた。これにより、設置角度線３３に対応する測定対象地点Ｐを容易に確認することができる。
（４）起立部４には、差込部５を差し込むための差込用切込部４１を形成した。これにより、表示装置１を簡単に組み立てられるとともに、差込用切込部４１の挿入された状態の差込角度線５１の数値から、反射部２と設置部３のなす角度θを容易に確認することができる。
【００３６】
（５）反射部２の左右両側辺に折曲部目盛６１、反射部本体目盛７１を形成したことにより、測量現場で物差しとして使用することもできる。
（６）設置部３に収納用切込部３２を形成したことにより、表示装置１を折り畳み平板状にコンパクトに収納することができる。収納時には、差込部５が収納用切込部３２内部に収納された状態となるため、携行する際に差込部５が折れ曲がったりすることが抑制できる。
【００３７】
（７）表示装置１は、紙製であるため、軽量であるとともに折り曲げ形成が容易であり、取り扱いが簡便である。
なお、上記実施形態は、以下のように変更してもよい。また、以下の変更例を適宜組み合わせて表示装置として構成することも可能である。
【００３８】
・  表示装置１は、白色等淡色の紙製に限定されない。樹脂製であってもよく、透明樹脂製であってもよい。また、淡色ではなく、濃色であってもよい。さらに、シートプリズムを使用するようにしてもよい。
【００３９】
・  反射部２は長方形状に限定されない。例えば、台形状であっても、多角形状であっても、略円形状であってもよい。また、設置部３及び起立部４も同様に略正方形状に限定されない。長方形状、多角形状、或いは台形状であっても、略円形状であってもよい。いずれの場合も折曲線Ａ、Ｂ、Ｃが平行に形成された平板状であれば、形状は特に限定されない。
【００４０】
・  反射部２にレーザ光を反射するための反射板を装着するようにしてもよい。
・  直交線２２を省略してもよい。
・  窓３１を省略してもよい。
【００４１】
・  折曲部６に形成された折曲部目盛６１は、基準線２１を基点のゼロとして上下方向に数値が増加するように形成される場合に限定されない。また、反射部本体７に形成された反射部本体目盛７１は、反射部２の下方から上方に向けて数値が増すように形成される場合に限定されない。折曲線Ａを基点のゼロとしてもよく、また折曲線Ｃを基点のゼロとしてもよい。
【００４２】
・  折曲部目盛６１、反射部本体目盛７１を省略してもよい。或いは折曲部目盛６１、反射部本体目盛７１の一方のみを省略してもよい。また、折曲部目盛６１、反射部本体目盛７１を反射部２のみだけでなく、設置部３、起立部４、差込部５に形成してもよく、また、反射部２から起立部４に至るまで連続した目盛を形成してもよい。
【００４３】
・  名刺大の大きさの反射部２の背面に広告を印刷等してもよい。或いは、名刺を印刷等してもよい。このようにすると、広告効果を期待できるばかりか、折り畳んだ状態で名刺としても利用できる。
【００４４】
さらに、前記実施形態より把握できる技術思想について以下に記載する。
（イ）４重構造をなすように折り畳み収納可能である表示装置。このように構成すると、使用時以外には４重構造となるように折り畳んで小さくすることができるため、携行しやすい。
【００４５】
（ロ）表示装置を収納保持するための保持手段を備えた表示装置。このように構成すると、折り畳み収納した場合に、収納状態を好適に維持することができる。
（ハ）紙製である表示装置。このように構成すると、軽量である上、嵩張らないため、より携行しやすい。
【符号の説明】
【００４６】
１…表示装置、２…反射部、３…設置部、４…起立部、５…差込部、６…折曲部、２１…基準線、３１…窓、３２…切込部、３３…角度目盛としての設置角度線、５１…角度目盛としての差込角度線、６１…折曲部目盛、７１…反射部本体目盛。
【図１】
2012068185.tif 000003
【図２】
2012068185.tif 000004
【図３】
2012068185.tif 000005
【図４】
2012068185.tif 000006
【図５】
2012068185.tif 000007